(57)【要約】      （修正有）【課題】外反足、足首の捻挫、Ｏ字脚、及び膝関節の摩擦等を効果的に防止する医療用矯正中敷を提供する。【解決手段】医療用矯正中敷は、中敷の本体１の後ろ側、前側、内側、および外側に振動吸収及び跳ね返り特性を備え、円弧形状に突出した振動吸収体２、３、４、５を設ける。本体の中央箇所は、下向きで円弧形状に凹んだ曲面を形成し、振動吸収体によって形成される四点平衡支持を受けて、立つ、歩く、走る際の足部の安定性を高めることができる。【選択図】図３
0003189107.tif 000002
【実用新案登録請求の範囲】
【請求項１】
本体を設ける医療用矯正中敷であって、
前記本体の外側箇所に振動吸収体を設け、本体の内側、前側、後ろ側の少なくとも一箇所にも振動吸収体を設けることを特徴とする医療用矯正中敷。
【請求項２】
前記本体の中央には下向きで円弧形状に凹んだ曲面をさらに形成することを特徴とする請求項１に記載の医療用矯正中敷。
【考案の詳細な説明】
【技術分野】
【０００１】
考案は、医療用矯正中敷に関し、特に外反足、足首の捻挫、Ｏ字脚、及び膝関節の摩擦等を効果的に防止する医療用矯正中敷に関する。
【背景技術】
【０００２】
人は二本足で立つ、歩く、走る等の活動過程の中で、体の重量及び地面の反作用力を主に両足で支えている。特に足の底箇所は長時間立ち、歩く等過程の中で継続的に圧力を受け、体の他の部位よりも疲労が溜まり傷つき易くなっている。特に、偏平足、甲高、靴の不良等がさらに、足底の外反や足首の靭帯捻挫等の問題を引き起こし、膝関節の痛み等を発生させることさえある。
【０００３】
そこで、ある業者は、立つ、歩く、走る等の時に足部に快適性を感じさせる中敷を研究開発した。特許文献１の「複合式健康中敷」は本考案の考案者によって開示された先行案であり、この健康中敷は主に、振動吸収及び跳ね返りの特性を有する本体を設けたものであり、本体の前後及び内側箇所に振動吸収体を結合し、さらに本体の両側周囲縁及び後部縁に上方向に突出した押圧壁を連接する。これにのり、靴を履いた時に、本体前側の振動吸収体はそれに対応する足底の横アーチを支え、本体内側の振動吸収体はそれに対応する足底の内側アーチを支え、本体の後部側の振動吸収体はそれに対応する足底の踵骨を支える。よって、人体の足の各箇所の位置を調整できる他、身体のバランスを維持でき、地面からの振動を吸収し、立ち、歩く等で足部に生じる痛みを予防することができる。
【０００４】
しかし、特許文献１の「複合式健康中敷」は、設計上、足底の外側アーチに相対する箇所に外側アーチを支えるための振動吸収体を設置していないため、使用者が歩き、立つ、走る等の時に、足底の重心が徐々に外側に移動して、足底の外側に外反現象を引き起こすこともある。これにより、足底筋膜炎や足首の靭帯捻挫等を起こし、使用者の足、膝箇所に影響を及ぼすことになる。Ｏ脚や膝関節の半月板が不当に磨耗する等のマイナス面を生じさせる（図４参照）。
【０００５】
本考案者は先行案として研究開発した特許文献１の「複合式健康中敷」は、実施時に依然として多くの欠点があることを理解した。そこで、前記「複合式健康中敷」の欠点に鑑み、長年に渡り関連分野の製造及び設計に従事した経験と知識をもとに多方面の考慮と改善を行ない、本考案を創出した。
【先行技術文献】
【特許文献】
【０００６】
【特許文献１】台湾特許公告第Ｍ３０７９８２号明細書
【考案の概要】
【考案が解決しようとする課題】
【０００７】
本考案は医療用矯正中敷に関し、その主な目的は、外反足、足首の捻挫、Ｏ字脚、及び膝関節の摩擦等を効果的に防止する医療用矯正中敷の提供にある。
【課題を解決するための手段】
【０００８】
上記課題を解決するため、本考案者は次の医療用矯正中敷を研究開発した。それは、本体を設け、尚且つ、本体の外側箇所に振動吸収体を設け、本体の内側、前側、後ろ側の少なくとも一箇所にも振動吸収体を設ける。
【０００９】
前記医療用矯正中敷の本体の中央には下向きで円弧形状に凹んだ曲面を形成する。
【００１０】
これにより、本考案の医療用矯正中敷は、足部の踵骨、横アーチ、内側アーチ、外側アーチ等のそれぞれの箇所に振動吸収体を設け、足部に四点の平面平衡支持を形成し、立つ、歩く、走る際の足部の安定性を高めることができる。
【００１１】
また、本考案の医療用矯正中敷は、足部の踵骨、横アーチ、内側アーチ、及び外側アーチ等に対応する箇所にそれぞれ振動吸収体を設け、地面から戻る振動力の衝撃を効果的に軽減し、足部の踵骨と各アーチの筋膜が痛むのを防ぐ効果を実現する。
【００１２】
さらに、本考案の医療用矯正中敷は、足部の内側、外側に対応する箇所にそれぞれ振動吸収体を備え、足部の内側、外側に対して支持作用を発揮し、足部に生じる内反及び外反を防ぐことができる。
【００１３】
また、本考案の医療用矯正中敷は、足部の外側に設けた振動吸収体の利用により、足部に生じる外反現象を防ぐことができる他、足首の捻挫、Ｏ脚、及び膝関節半月板の摩擦等を防ぐ効果を実現する。
【考案の効果】
【００１４】
本考案の医療用矯正中敷は、特に外反足、足首の捻挫、Ｏ脚、及び膝関節の摩擦等を防止する効果を有する。
【図面の簡単な説明】
【００１５】
【図１】本考案の平面図である。
【図２】本考案の断面図である。
【図３】本考案の使用状態の説明図である。
【図４】従来の中敷の使用状態の説明図である。
【考案を実施するための形態】
【００１６】
以下に、図面を参照しながら、本考案を実施するための最良の形態について詳述する。
【００１７】
まず、図１及び図２に本考案の医療用矯正中敷を示す。それは主に、振動吸収及び跳ね返りの特性を有する本体１を設け、本体１の後ろ側には振動吸収及び跳ね返り特性を備え、円弧形状に突出した第一振動吸収体２を設け、本体１の前側にも振動吸収及び跳ね返り特性を備え、円弧形状に突出した第二振動吸収体３を設け、本体１の内側には円弧形状に突出し振動吸収及び跳ね返り特性を備えた第三振動吸収体４を設け、本体１の外側にも円弧形状に突出し振動吸収及び跳ね返り特性を備えた第四振動吸収体５を設ける。本体１の中央箇所は本体１の前、後、内、外側間に位置し、下向きで円弧形状に凹んだ曲面６を形成する。
【００１８】
これにより、使用する際は、本考案の医療用矯正中敷を靴の中に配置し、使用者はその足部を本考案医療用矯正中敷を入れた靴内に挿入する。この時、図３に示すとおり、使用者の足部の踵骨は本考案医療用矯正中敷の後ろ側の第一振動吸収体２に位置し、その足部の横アーチは本考案医療用矯正中敷の前側の第二振動吸収体３に対応し、足部の内側アーチは本考案医療用矯正中敷の内側の第三振動吸収体４に位置し、足部の外側アーチは本考案医療用矯正中敷の外側の第四振動吸収体５に対応する。足部の踵骨、横アーチ、内側アーチ、外側アーチの間の箇所は本考案医療用矯正中敷の曲面６を圧して密着する。よって、使用者の足部は、足部の踵骨、横アーチ、内側アーチ、外側アーチ箇所にある第一振動吸収体２、第二振動吸収体３、第三振動吸収体４、及び第四振動吸収体５によって形成される四点平衡支持を受けて、平面的物理的支持効果を構成し、立つ、歩く、走る際の足部の安定性を高めることができる。
【００１９】
また、使用者が本考案医療用矯正中敷を設置した靴を履いて、立つ、歩く、走る等の動作を行なう時、使用者の足部は立つ、歩く、走る等で地面に作用を及ぼす際に戻って来る振動力の衝撃を受ける。この時、本考案医療用矯正中敷は使用者の足部の踵骨、横アーチ、内側アーチ、外側アーチに対応する第一振動吸収体２、第二振動吸収体３、第三振動吸収体４、及び第四振動吸収体５がその振動吸収機能を発揮し、効果的に圧力を分散させ、地面が足部に戻す振動力の衝撃を軽減するため、足部の踵骨及び各アーチの筋膜が痛むのを防ぐことができる。また、本考案の本体１の内側及び外側箇所に備えた第三振動吸収体４及び第四振動吸収体５が足部の内側、外側に生じさせる支持作用を用いると、使用者の足部を本体１中央の曲面６箇所に安定して定位させることができる。これにより、体の重心が足部の内側に偏って移動する内反現象を起こすことがなく、さらに、特許文献１の「複合式健康中敷」で説明したような、足部の外側アーチ箇所に振動吸収体の支持がないために体の重心が足部の外側に偏移して引き起こされる外反現象を解決し、並びに、足底の外反によって生じる足首の靭帯の捻挫、及び使用者の腿や膝に影響を及ぼして引き起こされるＯ脚や膝関節半月板の磨耗等の問題を改善する。
【００２０】
前記実施例或いは図面は本考案の医療用矯正中敷の実施形態に制約を加えるものではなく、本技術分野において通常の知識を有する者によって為された適当な変化や修飾は全て本考案の医療用矯正中敷の実用新案登録請求の範囲を逸脱しないものと見做す。
【００２１】
前記構造及び実施方式を通して、本考案は次の長所を有することが理解される。
（1）本考案の医療用矯正中敷は、足部の踵骨、横アーチ、内側アーチ、及び外側アーチ等の各所に振動吸収体を備え、足部のアーチに対して四点平衡支持を形成し、平面的物理的支持効果を構成する。これにより、振動吸収、圧力分散効果が生じ、足部が立つ、歩く、走る際に跳ね返り力が形成されるため、省力走行を助け、尚且つ立つ、歩く、走る時の安定性を高める効果を実現する。
【００２２】
（2）本考案の医療用矯正中敷は足部の踵骨、横アーチ、内側アーチ、及び外側アーチに対応する箇所にそれぞれ振動吸収体を設け、振動吸収、圧力分散を行い、地面から戻って来る振動力の衝撃を効果的に軽減し、足部の踵骨と各アーチの筋膜が痛むのを防ぐ効果を実現する。
【００２３】
（3）本考案の医療用矯正中敷は足部の内側、外側に対応する箇所にそれぞれ振動吸収体を備え、足部の内側、外側に対して支持作用を発揮し、平面支持及び圧力分散効果を実現し、足部に引き起こされる内反及び外反を防ぐ。
【００２４】
（4）本考案の医療用矯正中敷は足部の外側に設けた振動吸収体の利用により、外側縦アーチの第五中足骨の足底の筋膜には好ましい支持が与えられるため、踵骨の外反現象を防ぐことができ、立つ、歩く、走る際に外側縦アーチの筋膜が過度の力を受けるのを緩和する。よって、さらに足首の捻挫、Ｏ脚、及び膝関節半月板の摩擦等を防ぐ効果を実現する。
【００２５】
（5）本考案の医療用矯正中敷は、足部の前、後、内側、外側に位置する振動吸収体の設計により、使用中に振動吸収、圧力分散作用を生じさせるため、横アーチ、縦アーチが繰り返し力を受け力を加える過程においてもバランスを保つことができ、使用においては歩行を助けるスムーズ性を高める利便を図る。
【符号の説明】
【００２６】
１：本体
２：第一振動吸収体
３：第二振動吸収体
４：第三振動吸収体
５：第四振動吸収体
６：曲面
【図１】
0003189107.tif 000003
【図２】
0003189107.tif 000004
【図３】
0003189107.tif 000005
【図４】
0003189107.tif 000006